(57)【要約】      （修正有）【課題】水槽としての機能を有する任意の槽において、槽中の水の浄化、水への溶存酸素の供給及び水温維持を容易かつ確実に行うことができる魚介類生存維持装置を提供する。【解決手段】魚介類生存維持装置１は、筐体２、この筐体から外に突出した吸水管１８、吸水管から水を吸い上げるためのポンプ６、吸水管から吸い上げられた水の温度を変更可能な熱交換器７、熱交換器によって冷却又は加熱された水に気体を散気するプロテインスキマー１２、上記プロテインスキマーに供給される気体にオゾンを発生させるためのオゾン発生器１０、及び上記プロテインスキマーによって浄化された水を吐出すべく筐体から外に突出する吐水管２６を備え、ポンプ、熱交換器及びプロイテンスキマーが上記筐体内に配設されている。筐体に付設された車輪をさらに備えるとよい。また、吸水管及び吐水管は筐体から同一側に突出しているとよい。【選択図】図３
0003187277.tif 000002
【実用新案登録請求の範囲】
【請求項１】
筐体、
この筐体から外に突出した吸水管、
上記筐体内に配設され、吸水管から水を吸い上げるためのポンプ、
上記筐体内に配設され、吸水管から吸い上げられた水の温度を変更可能な熱交換器、
上記筐体内に配設され、上記熱交換器によって冷却又は加熱された水に気体を散気するプロテインスキマー、
上記プロテインスキマーに供給される気体にオゾンを発生させるためのオゾン発生器、及び
上記筐体から外に突出し、上記プロテインスキマーによって浄化された水を吐出する吐水管
を備える魚介類生存維持装置。
【請求項２】
上記筐体を走行移動するために筐体に付設された車輪をさらに備える請求項１に記載の魚介類生存維持装置。
【請求項３】
上記吐水管が、筐体から上記吸水管と同一側に突出している請求項１又は請求項２に記載の魚介類生存維持装置。
【請求項４】
上記熱交換器の上流における水の温度を感知する温度センサーと、
この温度センサーの測定結果に基づいて熱交換器を制御する制御手段と
をさらに備える請求項１、請求項２又は請求項３に記載の魚介類生存維持装置。
【請求項５】
上記プロテインスキマーが、水の浄化の際に生じる汚れを付着した泡を収容する汚れ回収部を有し、
この汚れ回収部が、上記筐体上部から突出している請求項１から請求項４のいずれか１項に記載の魚介類生存維持装置。
【考案の詳細な説明】
【技術分野】
【０００１】
本考案は、魚介類生存維持装置に関する。
【背景技術】
【０００２】
水槽中において魚介類を生存させておくために、プロテインスキマーを備える浄化装置が用いられている（例えば、特開２０１２−１０５５６９号公報参照）。このプロテインスキマーは一種の物理濾過を行う装置であり、その原理は、水中に泡を発生させ、この泡の界面に大小様々の有機物や細菌などを吸着させ、この泡を除去することで水を浄化するものである。このようなプロテインスキマーを備える浄化装置を用いることで、水の浄化とともに発生される泡によって水中酸素濃度の維持も図ることができる。
【０００３】
また、水槽中において魚介類を生存させておくためには、水槽中の水温を一定に保つ必要がある。このため、水槽には水槽中の温度を維持するための冷却装置が取付けられることが一般的である。
【０００４】
しかし、これら浄化装置と冷却装置とは、それぞれ別個の装置であるため、一つの水槽の設置に際してそれぞれ付設する必要がある。また、上記浄化装置と冷却装置とは、各水槽の形状やサイズ等に応じて適宜選択する必要がある。このため、例えば催事場等において、水槽として臨時的に使用される樽等の容器にあっては、上述のようなプロテインスキマーを用いた浄化装置や冷却装置は用いられずに、上記容器内の水に酸素を供給するエアレーション装置のみを用いることが一般的である。
【先行技術文献】
【特許文献】
【０００５】
【特許文献１】特開２０１２−１０５５６９号公報
【考案の概要】
【考案が解決しようとする課題】
【０００６】
本考案はこれらの不都合に鑑みてなされたものであり、本考案の課題は、水槽としての機能を有する任意の槽において、槽中の水の浄化、水への溶存酸素の供給及び水温維持を容易かつ確実に行うことができる魚介類生存維持装置を提供することにある。
【課題を解決するための手段】
【０００７】
上記課題を解決するためになされた考案は、
筐体、
この筐体から外に突出した吸水管、
上記筐体内に配設され、吸水管から水を吸い上げるためのポンプ、
上記筐体内に配設され、吸水管から吸い上げられた水の温度を変更可能な熱交換器、
上記筐体内に配設され、上記熱交換器によって冷却又は加熱された水に気体を散気するプロテインスキマー、
上記プロテインスキマーに供給される気体にオゾンを発生させるためのオゾン発生器、及び
上記筐体から外に突出し、上記プロテインスキマーによって浄化された水を吐出する吐水管
を備える魚介類生存維持装置である。
【０００８】
当該魚介類生存維持装置にあっては、吸水管を介して吸い上げられた水は、熱交換器によって水温が調節され、さらにプロテインスキマーによって浄化及び溶存酸素の供給がなされ、その後吐水管から吐出される。このため、当該魚介類生存維持装置は、水槽としての機能を有する槽に貯められた水内に吸水管を入れ、吐水管から槽へ水を吐出するよう設置することで、槽中の水の浄化、水への溶存酸素の供給及び水温の維持を容易かつ確実に行うことができ、例えば樽等の水を貯留可能な容器であれば魚介類を生存させる槽として用いることが可能となる。特に、当該魚介類生存維持装置は、筐体によってプロテインスキマー及び熱交換器が一体化されているものであるので、容易かつ確実に設置することができる。しかも、当該魚介類生存維持装置にあっては、上記熱交換器によって水が冷却される場合、この熱交換器によって冷却された水に気体が供与されることとなるため、気体が水に溶存しやすい。しかも、この気体にはオゾン発生器によって発生させたオゾンが含まれるので、オゾンによる殺菌効果が得られて水の浄化作用がより顕著となるとともに、このオゾンによって溶存酸素量の増加が期待できる。
【０００９】
当該魚介類生存維持装置は、上記筐体を走行移動するために筐体に付設された車輪をさらに備えるとよい。これにより、当該魚介類生存維持装置の移動が容易に行うことができ、上述した当該魚介類生存維持装置の設置作業がより簡便となる。
【００１０】
上記吐水管は、筐体から上記吸水管と同一側に突出していることが好ましい。これにより、上記吐水管及び吸水管の突出する側に槽が配置されるよう当該魚介類生存維持装置を設置することで、より容易且つ確実に槽中の水の浄化、水への溶存酸素の供給及び水温維持を行うことができる。
【００１１】
当該魚介類生存維持装置は、上記熱交換器の上流における水の温度を感知する温度センサーと、この温度センサーの測定結果に基づいて熱交換器を制御する制御手段とをさらに備えることが好ましい。これにより、温度センサーによって水温を把握しつつ熱交換器を制御して槽中の水温を調節することができる。特に、温度センサーが熱交換器の上流に配設されるので、熱交換器によって温度が調節される前の水の温度を把握することができ、このため槽中の水温を的確かつ確実に把握しやすい。
【００１２】
上記プロテインスキマーが、水の浄化の際に生じる汚れを付着した泡を収容する汚れ回収部を有し、この汚れ回収部が、上記筐体上部から突出していることが好ましい。このように汚れ回収部が筐体上部から突出していることで、この汚れ回収部の洗浄等を容易かつ確実に行うことができる。
【考案の効果】
【００１３】
以上説明したように、本考案の魚介類生存維持装置は、水槽としての機能を有する任意の槽において、槽中の水の浄化、水への溶存酸素の供給及び水温維持を容易かつ確実に行うことができる。
【図面の簡単な説明】
【００１４】
【図１】本考案の一実施形態である魚介類生存維持装置の概略的正面図である。
【図２】図１に示した魚介類生存維持装置の概略構成図である。
【図３】図１に示した魚介類生存維持装置の全体構成を模式的に説明するための概略的平面図である（ただし、筐体は一点鎖線で示した）。
【図４】図１に示した魚介類生存維持装置の構成を模式的に説明するための概略的左側面図である（ただし、筐体は一点鎖線で示した）。
【図５】図１に示した魚介類生存維持装置の構成を模式的に説明するための概略的右側面図である（ただし、筐体は一点鎖線で示した）。
【考案を実施するための形態】
【００１５】
以下、適宜図面を参照しながら本考案の実施形態を詳説する。図１の魚介類生存維持装置１は、水が貯められた槽Ａの側方に設置されて用いられる。
【００１６】
図２に、当該魚介類生存維持装置の概略構成図を示す。図２は、当該魚介類生存維持装置の各構成部の接続構成を示している。各構成部の具体的配置関係は、図３から図５に示す通りである。
【００１７】
当該魚介類生存維持装置１は、図２に示すように、タンク４、温度センサー５、ポンプ６、冷却器（熱交換器）７、フィルター９、オゾン発生器１０、気液混合器１１、プロテインスキマー１２を備えている。これらの各部に、吸水管１８、接続管１９、２０、２１、大気流入管２２、吸気管２３、接続管２４、吐水管２６が接続されている。これらの構成部が、筐体２内に配設されている。
【００１８】
上記筐体２は、図１に示すように略立方体状のケーシングを備えている。当該魚介類生存維持装置１は、上記筐体２を走行移動できるように筐体２に付設された車輪３を備えている。本実施形態では、４つの車輪３が付設されており、各車輪３は筐体２の下部の四隅に付設されている。
【００１９】
図４に示すように、上記タンク４の上部に吸水管１８が接続され、タンク４の下部とポンプ６とが接続管１９を介して接続されている。上記吸水管１８は、槽Ａ中の水を吸引するための管であって、上記筐体２から外に突出している。具体的には、吸水管１８は、筐体２の側方（図１における左側）から外に突出し、吸水口１８ａ側が下方に向けて屈曲している。また、吸水口１８ａには、異物を吸い込まないようにストレーナー（図示省略）が取り付けられている。
【００２０】
上記ポンプ６は、吸水管１８を介して槽Ａ中の水を吸い上げるためのものであり、本実施形態では自吸式ポンプから構成されている。ポンプ６を駆動するとタンク４内が負圧となり、タンク４内に吸水管１８を介して槽Ａ中の水が吸い上げられる。
【００２１】
上記タンク４は、筐体２内において吸水管１８の突出する側（図３における左側）かつ背面側に配設されている。また、ポンプ６は、筐体２内において吸水管１８の突出する側（図３における左側）かつ正面側に配設されている。
【００２２】
なお、吸水管１８の先端部分には鉛製の重り（図示省略）が取り付けられている。魚が吸水管１８に当たることなどにより吸水口１８ａが水面から出てしまうと、吸水口１８ａから空気が吸い込まれポンプ６が停止してしまうが、吸水管１８の先端部分に重りを取り付けることで、吸水管１８の浮き上がりを防止している。また、この重りによって、吸水口１８ａが槽Ａの底部付近に位置するように吸水管１８の位置を規制している。
【００２３】
ポンプ６は接続管２０を介して冷却器７に接続されており、ポンプ６によってタンク４から吸い出された水が冷却器７によって冷却される。当該魚介類生存維持装置１は、上記冷却器７を冷媒の蒸発器とし、この冷却器７と圧縮機１３と凝縮器１４と膨張弁１５とで閉ループを構成する冷凍機８を備えている。冷却器７は、ポンプ６によって吸い上げられた水を流す内管（図示省略）と、内管の外周に冷媒（熱媒体）を流す外管（図示省略）とを有する多重構造である。この冷却器７としては、特に限定されるものではないが、チタンクラッド鋼製のものを用いることができる。凝縮器１４は、空冷の熱交換器であり、フィン１４ａを有している。この冷凍機８は、逆サイクルで運転することにより、冷却器（熱交換器）７をヒートポンプとして機能させることができ、ポンプ６によって吸水管１８から吸い上げられた水を加熱することもできる。
【００２４】
この冷凍機８は、筐体２内において正面側に配設されている。また、この冷凍機８の冷却器７は、図３に示すように平面視略Ｕ字状に形成され、冷却器７の水の流入口側が上記ポンプ６配設側（図３における左側）に、上記冷却器７の水の流出口側が反対側（図３における右側）に配設されている。
【００２５】
上記温度センサー５は、上記冷却器７の上流における水の温度を感知するものであり、具体的には、図３及び図４に示すように上記タンク４とポンプ６とを接続する上記接続管１９に付設され、ポンプ６の上流の水温を感知している。
【００２６】
冷却器７の水の流出口は、接続管２１を介して上記気液混合器１１に接続されており、冷却器７によって冷却された水が気液混合器１１に流入する。
【００２７】
この気液混合器１１は、吸気管２３を介して気体を吸引し、吸引した気体を微細な泡状に細分化して、冷却器７によって冷却された水に混合する。吸気管２３は上記オゾン発生器１０に接続されており、このオゾン発生器１０は、さらに大気流入管２２を介してフィルター９に接続されている。つまり、気液混合器１１は、オゾン発生器１０を通してフィルター９によって異物を除去した空気を吸入する。オゾン発生器１０は、フィルター９から吸い込んだ空気中の酸素の一部をオゾンに変換する。これにより、気液混合器１１は、冷却器７によって冷却された水にオゾンを含む空気の微細な気泡を分散させる。これらの気泡から酸素が水に溶け込むことにより、水の溶存酸素濃度を上昇させる。なお、本実施形態のオゾン発生器１０におけるオゾン発生方法としては、特に限定されるものではなく、無声放電法、紫外線法、化学生成法、電解法などを用いることができる。
【００２８】
また、吸気管２３の途中には逆止弁２８が設けられている。吸気管２３に異物が入り込むと、圧力が増加して逆流し、水がオゾン発生器１０へ進入するおそれがある。逆止弁２８によりこの逆流を防止して、オゾン発生器１０への水の進入を防止している。
【００２９】
気液混合器１１により微細な気泡が分散された水は、上記プロテインスキマー１２に供給される。このプロテインスキマー１２は、二重筒体１６、汚れ回収部１７及びドレン管２５を有している。
【００３０】
図５に示すように、二重筒体１６は、内筒１６ａとこの内筒１６ａの外周に配設される外筒１６ｂにより構成されている。この内筒１６ａの下部には外筒１６ｂを貫通する接続管２４を介して上記気液混合器１１が接続されている。内筒１６ａは、水の流速が小さくなるよう十分に大きな径を有する。また、内筒１６ａの上端は上記外筒１６ｂよりも低く設けられている。一方、上記外筒１６ｂには、上記内筒１６ａの上端よりも低い位置において、上記吐水管２６が接続されている。
【００３１】
このように構成されたプロテインスキマー１２において、気液混合器１１から供給された気体含有水は、内筒１６ａ内を上昇し、内筒１６ａの上端から内筒１６ａと外筒１６ｂとの隙間に溢出する。内筒１６ａにおいて、水中の気泡は、水よりも大きな速度で上昇し、内筒１６ａの水面上に浮かんだ泡の層を形成する。水に分散された気泡の界面には、有機物や細菌などが吸着されるので、これらの気泡が浮上することにより、水中の有機物や細菌などを水面上の泡に集めることができる。内筒１６ａと外筒１６ｂとの隙間には、泡と共に有機物や細菌などが分離された清浄な水が溢出する。また、内筒１６ａ内においても、気泡から酸素及びオゾンが水に溶け込む。
【００３２】
上記吐水管２６は、内筒１６ａと外筒１６ｂとの隙間に溢出した清浄な水を槽Ａに還流させるための管であって、図１に示すように上記筐体２から外に突出している。この吐水管２６は、筐体２から吸水管１８と同一側（図１における左側）に突出している。また、この吐水管２６は、吐水口２６ａ側が下方に屈曲しており、上記二重筒体１６から吐水管２６へ排出された水は吐水口２６ａから吐出される。この吐水管２６は、内筒１６ａと外筒１６ｂとの隙間の水の液面を内筒１６ａの上端より低く保てるよう、内筒１６ａの上端より低い位置を通るよう配設されている。
【００３３】
上記二重筒体１６の上部に配設された汚れ回収部１７は、二重筒体１６内で生じた泡を回収する。つまり、上述のように二重筒体１６の内筒１６ａに供給された水中の気泡が分離して水面上に形成した泡を二重筒体１６上部の汚れ回収部１７が捕捉する。汚れ回収部１７が捕捉した泡が液化した汚水は、ドレン管２５から排出される。このため、このドレン管２５の排出部には容器Ｂ等を設置することが好ましい。
【００３４】
上記プロテインスキマー１２は、上記筐体２内に配設されているが、このプロテインスキマー１２の一部分は筐体２外に突出している。つまり、上記汚れ回収部１７は、上記筐体２上部から突出しており、また、汚れ回収部１７が上記二重筒体１６に着脱可能に取付けられている。さらに、プロテインスキマー１２は、筐体２内において吸水管１８の突出する側と反対側（図３における右側）かつ背面側に配設されている。
【００３５】
また、当該魚介類生存維持装置１は、ポンプ６、冷却器７、オゾン発生器１０等を制御するための制御手段（図示省略）を備えている。この制御手段による各種制御は、筐体２の正面側に配設された操作パネル２７によって作業者が設定できるように設けられている。また、上記制御手段は、温度センサー５の測定結果に基づいて冷却器７を制御するよう設けられている。具体的には、例えば操作パネル２７によって槽Ａ中の水温を設定することで、制御手段は、温度センサー５からの温度情報を入手し、その温度情報と設定温度とを比較し、上記冷却器７による冷却の程度を変更している。また、槽Ａ中の水温を上昇させる場合には、制御手段は、冷却器７をヒートポンプとして機能させるように冷凍機８を逆サイクルで運転させ、温度センサー５からの温度情報と設定温度とに基づいて、加熱の程度を制御する。
【００３６】
上記構成からなる当該魚介類生存維持装置１にあっては、吸水管１８から吸い上げられた水は、冷却器７によって冷却され、さらにプロテインスキマー１２によって浄化及び溶存酸素の濃度上昇がなされ、その後吐水管２６から吐出される。このため、槽Ａ中の水の浄化、水への溶存酸素の供給及び水温維持を容易かつ確実に行うことができ、例えば樽等の水を貯留可能な容器であれば魚介類を生存させる槽Ａとして用いることが可能となる。つまり、例えば催事場や簡易な物販場等において、水槽の機能を有する樽、桶等の容器（槽）に水を貯め、ここに魚介類を投入したとしても、当該魚介類生存維持装置１を用いることで、この魚介類を長く安定して生存させておくことができる。
【００３７】
また、当該魚介類生存維持装置１は、筐体２によってプロテインスキマー１２及び冷却器７が一体化されているものであるので、容易かつ確実に設置することができる。しかも、当該魚介類生存維持装置１は、上記筐体２を走行移動するために筐体２に付設された車輪３をさらに備えているので、当該魚介類生存維持装置１の移動が容易に行うことができ、上述した当該魚介類生存維持装置１の設置作業がより簡便となる。また、吐水管２６と吸水管１８とは同一側において筐体２から突出しているので、槽Ａの所望位置に吐水管２６及び吸水管１８をより容易かつ確実に設置できる。
【００３８】
さらに、気液混合器１１に供給される気体には、オゾン発生器１０で発生させたオゾンが含まれるため、オゾンによる殺菌効果によって水の浄化作用の向上が図られるとともに、このオゾンによって溶存酸素量の増加が期待できる。しかも、上記冷却器７によって水が冷却された後に、この冷却された水にオゾンを供給するものであるので、オゾンが水に溶存しやすい。
【００３９】
当該魚介類生存維持装置１は、上記冷却器７の上流における水の温度を感知する温度センサー５と、この温度センサー５の測定結果に基づいて冷却器７を制御する制御手段とをさらに備えているので、温度センサー５によって水温を把握しつつ冷却器７を制御して槽Ａ中の水温を調節することができる。特に、温度センサー５は冷却器７の上流に配設されているので、冷却器７によって冷却される前の水の温度を把握することができ、このため槽Ａ中の水温を的確かつ確実に把握しやすい。
【００４０】
上記プロテインスキマー１２の汚れ回収部１７が、筐体２上部から突出しているため、この汚れ回収部１７の洗浄等を容易かつ確実に行うことができる。しかも、この汚れ回収部１７は着脱可能に取付けられているものであるので、汚れ回収部１７を取り外して容易かつ確実に洗浄することができる。
【００４１】
また、当該魚介類生存維持装置１はタンク４を備え、ポンプ６として自吸式ポンプを用いるので、小型のポンプであっても的確に吸水することができる。さらに、当該魚介類生存維持装置１にあっては、筐体２内において、吸水管１８が配設される側かつ背面側にタンク４を、吸水管１８が配設される側かつ正面側にポンプ６を、正面側に冷凍機８を、吸水管１８が配設される側の反対側かつ背面側にプロテインスキマー１２を配設したものであるので、全体として小型化が図られ、当該魚介類生存維持装置１の移動、設置作業が極めて簡便に行い得る。さらに、正面側に操作パネル２７を有することで、当該魚介類生存維持装置１を作業者が容易に操作することができる。
【００４２】
なお、本考案の魚介類生存維持装置１は上記実施形態に限定されるものではなく、本考案の意図する範囲内で適宜設計変更可能である。つまり、上記実施形態では槽Ａの側方に設置されて用いられる魚介類生存維持装置１について説明したが、本考案はこれに限定されるものではなく、槽の上方に設置して用いられるものであっても良い。ただし、上記実施形態のように槽Ａの側方に設置されて用いられるよう設けることで、槽の種類を問わず、例えば風呂桶等を用いて、魚介類を生存させることができる。
【００４３】
また、上記実施形態ではドレン管２５を設けるものについて説明したが、本考案はこれに限定されるものではなく、例えば筐体２内に汚水を貯める汚水用タンク等を着脱可能に内蔵しておく等の構造を採用することも可能である。
【００４４】
さらに、上記実施形態においては、気液混合器１１が気体を吸引する自吸式であるものについて説明したが、本考案はこれに限定されない。例えば、吸気管２３の途中にポンプを設けて、そのポンプにより大気を吸引する構成としてもよい。また、大気流入管２２の気体吸い込み口をプロテインスキマー１２の上部の気体を吸い込むよう設けることも可能であり、この場合には、気液混合器１１で十分に溶け込まずにプロテインスキマー１２から放出されるオゾンを再利用することができる。
【００４５】
また、上記実施形態においては、ポンプ６及び冷却器７等が完全に筐体２内に配設されたものについて説明したが、上記実施形態のプロテインスキマー１２のように一部分が筐体２外に突出したものであっても良い。
【産業上の利用可能性】
【００４６】
以上のように、本考案の魚介類生存維持装置は、水槽としての機能を有する任意の槽において、槽中の水の浄化、水への溶存酸素の供給及び水温維持を容易かつ確実に行うことができるため、魚介類を生存させるための種々の分野に用いることができ、特に催事場や簡易な物販場等においてより好適に用いられる。
【符号の説明】
【００４７】
１  魚介類生存維持装置
２  筐体
３  車輪
４  タンク
５  温度センサー
６  ポンプ
７  冷却器（熱交換器）
８  冷凍機
９  フィルター
１０  オゾン発生器
１１  気液混合器
１２  プロテインスキマー
１３  圧縮機
１４  凝縮器
１４ａ  フィン
１５  膨張弁
１６  二重筒体
１６ａ  内筒
１６ｂ  外筒
１７  汚れ回収部
１８  吸水管
１８ａ  吸水口
１９、２０、２１  接続管
２２  大気流入管
２３  吸気管
２４  接続管
２５  ドレン管
２６  吐水管
２６ａ  吐水口
２７  操作パネル
２８  逆止弁
Ａ  槽
Ｂ  容器
【図１】
0003187277.tif 000003
【図２】
0003187277.tif 000004
【図３】
0003187277.tif 000005
【図４】
0003187277.tif 000006
【図５】
0003187277.tif 000007